(57)【要約】      （修正有）【課題】取り外した場合にも、汚染水をハンドピースの内部に漏れ出させないチップおよび歯科用治療装置を提供する。【解決手段】振動源を内蔵するハンドピースに装着可能で、治療部位に挿入可能なチップである。筒状部分を有したチップ本体３１と、チップ本体の内部に形成され、第１タンクからの未使用の液体を治療部位に向けて注水するための吐出路４０と、治療部位から吸引した使用済みの液体を第２タンクに向けて排水するための吸引路５０と、チップ本体の内部に形成され、吐出路と吸引路とを区画する壁部３４とを備える。吸引路が、チップ本体の外部に形成されて、第２タンクに接続されるための吸引路出口５２を有する。【選択図】図４
2018094220.tif 000002
【特許請求の範囲】
【請求項１】
振動源を内蔵するハンドピースに装着可能で、治療部位に挿入可能なチップであって、
筒状部分を有したチップ本体と、
該チップ本体の内部に形成され、第１タンクからの未使用の液体を前記治療部位に向けて注水するための吐出路と、
前記治療部位から吸引した使用済みの液体を第２タンクに向けて排水するための吸引路と、
前記チップ本体の内部に形成され、前記吐出路と前記吸引路とを区画する壁部とを備え、
前記吸引路が、前記チップ本体の外部に形成されて、前記第２タンクに接続されるための吸引路出口を有することを特徴とするチップ。
【請求項２】
前記吐出路が、前記チップ本体に形成された吐出路出口を有し、
該吐出路出口が、前記チップ本体の長手方向の軸線に対して前記吸引路出口の反対側の位置に設けられていることを特徴とする請求項１に記載のチップ。
【請求項３】
請求項１または２に記載のチップと、
該チップに装着される前記ハンドピースと、
前記未使用の液体を貯留可能に形成され、前記ハンドピースの内部の流路を介して前記チップの前記吐出路に接続される前記第１タンクと、
前記使用済みの液体を貯留可能であって、前記ハンドピースの外部の流路を介して前記チップの前記吸引路に接続される前記第２タンクと
を備えたことを特徴とする歯科用治療装置。
【発明の詳細な説明】
【技術分野】
【０００１】
本発明は、チップおよび歯科用治療装置に関し、特に、振動源を内蔵するハンドピースに装着可能で、治療部位に挿入可能なチップおよび歯科用治療装置に関する。
【背景技術】
【０００２】
歯周病は、歯ぐきを痩せさせるのみならず、肺や心臓などの臓器の病気を招くともいわれている。歯周病の治療には、歯石やプラーク（歯垢）を取り除く作業（スケーリング）、スケーリング後の歯根面を平滑化する作業（ルートプレーニング）などがあり、ルートプレーニングの際には、治療部位（例えば歯周ポケット）を洗浄する作業（イリゲーション）がある。
【０００３】
チップは、スケーリング、ルートプレーニング、イリゲーションなどの各目的に沿う形状で構成されている。例えば、特許文献１，２には、イリゲーションに適用可能なチップを有した歯科用治療装置の構造が開示され、口腔内を殺菌するための薬液などを歯周ポケットに向けて注水するための吐出路や、歯周ポケットから汚染水を吸引するための吸引路が形成されている。
【先行技術文献】
【特許文献】
【０００４】
【特許文献１】特開２０１２−２２３２４３号公報
【特許文献２】特開２０１６−５０４１６０号公報
【発明の概要】
【発明が解決しようとする課題】
【０００５】
しかしながら、上記特許文献１の構造では、吐出路の他、吸引路も歯科用治療装置のハンドピースの内部に設置されており、ハンドピースの内部に、チップを介して吸引した使用済みの液体（汚染水）が残りやすくなる。詳しくは、例えばチップを滅菌するために、チップ、ハンドピース、ホース等を外すと、チップやホースの内部に残った汚染水がハンドピースの内部に漏れ出ることがある。
また、上記特許文献１の構造では、吸引路が振動子の内部に設けられ、吐出路が振動子の外部に設けられているため、振動子を冷却し難くなる。上記特許文献２の吸引路（吸引針）は、チップと別体に形成されており、チップの構造が複雑になって生産性が悪い。
【０００６】
本発明は、上述のような実情に鑑みてなされたもので、取り外した場合にも、汚染水をハンドピースの内部に漏れ出させないチップおよび歯科用治療装置を提供することを目的とする。
【課題を解決するための手段】
【０００７】
上記課題を解決するために、請求項１の発明は、振動源を内蔵するハンドピースに装着可能で、治療部位に挿入可能なチップであって、筒状部分を有したチップ本体と、該チップ本体の内部に形成され、第１タンクからの未使用の液体を前記治療部位に向けて注水するための吐出路と、前記治療部位から吸引した使用済みの液体を第２タンクに向けて排水するための吸引路と、前記チップ本体の内部に形成され、前記吐出路と前記吸引路とを区画する壁部とを備え、前記吸引路が、前記チップ本体の外部に形成されて、前記第２タンクに接続されるための吸引路出口を有することを特徴としている。
【０００８】
請求項２の発明は、請求項１の発明において、前記吐出路が、前記チップ本体に形成された吐出路出口を有し、該吐出路出口が、前記チップ本体の長手方向の軸線に対して前記吸引路出口の反対側の位置に設けられていることを特徴としている。
【０００９】
請求項３の発明は、請求項１または２の発明のチップと、該チップに装着される前記ハンドピースと、前記未使用の液体を貯留可能に形成され、前記ハンドピースの内部の流路を介して前記チップの前記吐出路に接続される前記第１タンクと、前記使用済みの液体を貯留可能であって、前記ハンドピースの外部の流路を介して前記チップの前記吸引路に接続される前記第２タンクとを備えたこと歯科用治療装置であることを特徴としている。
【発明の効果】
【００１０】
本発明によれば、吸引路出口がチップ本体の外部で第２タンクに接続されるので、治療部位から吸引した使用済みの液体は、ハンドピースの内部を経由せずに、第２タンクに排水される。よって、チップ等を取り外した場合にも、使用済みの液体をハンドピースの内部に漏れ出させなくすることができる。
【図面の簡単な説明】
【００１１】
【図１】本発明の一実施形態に係る歯科用治療装置の概略構成図である。
【図２】図１に示した歯科用治療装置の要部断面図である。
【図３】図１に示したチップの斜視図である。
【図４】（Ａ）は図３に示したチップの平面図であり、（Ｂ）は（Ａ）のＢ−Ｂ線矢視断面図である。
【発明を実施するための形態】
【００１２】
以下、図面を参照しながら本発明のチップおよび歯科用治療装置について説明する。図１は、本発明の一実施形態に係る歯科用治療装置の概略構成図である。
歯科用治療装置１は、ハンドピース１０と、水タンク２０と、排水タンク２５と、チップ３０とを有する。水タンク２０が本発明の第１タンクに相当し、排水タンク２５が本発明の第２タンクに相当する。
【００１３】
水タンク２０には、未使用の液体（例えば口腔内を殺菌するための薬液など、以下、薬液と称する）が貯留されており、注水ポンプ２１が設置されている。水タンク２０は、注水ホース２２を介してハンドピース１０に接続されている。
排水タンク２５には排水ポンプ２６が設置されており、治療部位（例えば歯周ポケット、根管内）で使用済みの液体（以下、汚染水と称する）を貯留可能である。排水タンク２５は、ハンドピース１０の外部に配された排水ホース２７を介してチップ３０に接続されている。
【００１４】
注水ポンプ２１や排水ポンプ２６は歯科用治療装置１の制御部（図示省略）からの信号に基づいて駆動する。
注水ポンプ２１は、所定のタイミングで水タンク２０内の薬液を、注水ホース２２やハンドピース１０、チップ３０の内部の流路を経由して、治療部位に注ぐ。一方、排水ポンプ２６は、注水ポンプ２１の動作に伴う所定のタイミングで、治療部位で使用された汚染水を、チップ３０やハンドピース１０の外部の流路、例えば排水ホース２７を経由して、排水タンク２５に集める。なお、排水タンク２５や排水ホース２７に替えて、口腔内バキュームに接続してもよい。
【００１５】
図２は、図１に示した歯科用治療装置の要部断面図である。
ハンドピース１０は振動子１１を内蔵している。振動子１１の前端には振動体１２が設置され、振動子１１の後端から電源線１３が延びている。振動子１１は、例えば超音波振動子あるいはエアー振動子である。振動子１１や振動体１２は例えば中空状に形成され、振動体１２の前端には、雌ネジ部を有した軸孔（図示省略）が形成されており、チップ３０をネジ固定する。
【００１６】
振動子１１や振動体１２の内部には、注水チューブ１４による流路が設けられている。注水チューブ１４の一端は注水ホース２２に連通し、注水チューブ１４の他端は例えば振動体１２の上記軸孔に連通しており、水タンク２０内の薬液が注水チューブ１４を介してチップ３０に注水される。このように、水タンク２０からの流路（吐出路）を振動子１１や振動体１２の内部に形成すれば、振動子１１や振動体１２を容易に冷却することができる。
【００１７】
ハンドピース１０は歯科用治療装置１の上記制御部からの信号に基づいて駆動する。振動子１１は、所定のタイミングで振動し、振動子１１の振動は振動体１２で増幅されてチップ３０に伝わる。治療部位では、薬液中の振動が生ずるので、チップ３０の先端周囲に負圧の微細な気泡が発生する。この気泡が破裂する際に生じたエネルギーにより、バイオフィルムを破壊することができる。
【００１８】
図３は、図１に示したチップの斜視図である。また、図４（Ａ）は図３に示したチップの平面図であり、図４（Ｂ）は図４（Ａ）のＢ−Ｂ線矢視断面図である。
チップ３０は、例えばイリゲーション向けのチップであり、筒状のチップ本体３１を備える。チップ本体３１は例えば金属または樹脂で形成され、チップ本体３１の後端には、雄ネジ部３３が形成されている。
【００１９】
チップ本体３１の内部には、吐出路４０と、吸引路５０とが形成されている。
吐出路４０は、図４（Ｂ）に示すように、大径部４０ａ、小径部４０ｂからなり、大径部４０ａは、チップ本体３１の長手方向の軸線に沿って延び、小径部４０ｂは、この軸線に対して交差する方向に延びている。
【００２０】
大径部４０ａの一端は、図２で説明した振動体１２の上記軸孔内で、注水チューブ１４からの薬液を受容する吐出路入口４１を有する。大径部４０ａの他端は小径部４０ｂの一端に連通し、小径部４０ｂの他端は、吸引路５０の先端に向けて開口した吐出路出口４２を有する。なお、吐出路出口４２は、薬液が直に治療部位に向かうように、あるいは、薬液が吸引路５０に接触するように開口させることができる。
【００２１】
吸引路５０は、小径部５０ａ、中継室５０ｂ、大径部５０ｃからなる。小径部５０ａは、チップ本体３１の長手方向の軸線に沿って延びた部分と、湾曲部分と、この軸線に対して交差する方向に延びた部分とで形成されている。小径部５０ａの一端は吸引路入口５１を有し、吸引路入口５１が治療部位に挿入される。小径部５０ａの他端は、チップ本体３１の内部で中継室５０ｂに連通している。
【００２２】
中継室５０ｂは、吐出路４０の小径部４０ｂの近傍に設置されており、中継室５０ｂと吐出路４０の小径部４０ｂとの間は、壁部３４で区画されている。
吸引路５０の大径部５０ｃの一端は中継室５０ｂに連通し、大径部５０ｃは、チップ本体３１の径方向に沿って延びて本体外周壁３２から突出している。また、大径部５０ｃは、本体外周壁３２の外方で、チップ本体３１の長手方向の軸線に沿うように湾曲しており、大径部５０ｃの他端は、図１で説明した排水ホース２７に接続されるための吸引路出口５２を有している。
【００２３】
このように、吐出路４０と吸引路５０とは壁部３４で区画されており、薬液と汚染水とはチップ本体３１の内部で混ざらない。また、吸引路出口５２が、チップ本体３１の本体外周壁３２よりも外方で排水タンクに接続されるので、治療部位から吸引した汚染水は、ハンドピースの内部を経由せずに、排水タンクに直に排水される。よって、チップ等を取り外した場合にも、使用済みの液体をハンドピースの内部に漏れ出させなくすることができる。
【００２４】
また、吸引路５０（小径部５０ａ、中継室５０ｂ、大径部５０ｃ）がチップ３０に一体形成されているため、チップの構造が簡単になって生産性が良い。
また、チップ３０の先端には、吐出路４０を設けず、吸引路５０だけを設けているので、術者の視野が狭くならず、治療部位を容易に確認することができる。
さらに、吐出路出口４２と吸引路出口５２とが、チップ本体３１の下側と上側に離間するように、チップ本体３１の長手方向の軸線を挟んで対向した位置にそれぞれ設けられており、吐出路出口４２付近に汚染水が残っていても、この汚染水を吸引路出口５２に向かわせない。
【００２５】
そして、上述のチップを搭載すれば、汚染水がハンドピースの内部から漏れない歯科用治療装置を提供することができる。
【符号の説明】
【００２６】
１…歯科用治療装置、１０…ハンドピース、１１…振動子、１２…振動体、１３…電源線、１４…注水チューブ、２０…水タンク、２１…注水ポンプ、２２…注水ホース、２５…排水タンク、２６…排水ポンプ、２７…排水ホース、３０…チップ、３１…チップ本体、３２…本体外周壁、３３…雄ネジ部、３４…壁部、４０…吐出路、４０ａ…大径部、４０ｂ…小径部、４１…吐出路入口、４２…吐出路出口、５０…吸引路、５０ａ…小径部、５０ｂ…中継室、５０ｃ…大径部、５１…吸引路入口、５２…吸引路出口。
【図１】
2018094220.tif 000003
【図２】
2018094220.tif 000004
【図３】
2018094220.tif 000005
【図４】
2018094220.tif 000006